(57)【要約】      （修正有）【課題】取付対象物に低コストで簡単に管を接続する接続管取付用ソケットを提供する。【解決手段】接続管取付用ソケット１は、取付対象物（雨水貯留浸透槽）に管を接続する際に両者の間に配され、取付対象物に穿設された孔部に挿入される管状部２と、管が接続される継手部３と、管状部と継手部との間に介在する板状部材４であって、開口部４ａを有し、開口部を挟んで管状部と継手部とが連通するように、板状部材の一方の面から管状部が、他方の面から継手部が各々突出するように固定される。予め製作した接続管取付用ソケットの管状部を挿入するための孔部を取付対象物に穿設するだけで、取付対象物に接続管取付用ソケットを取り付けることができ、このソケットの継手部に管を接続するだけでソケットを介して取付対象物と管とを接続することができる。管状部、継手部、板状部材の少なくとも一つを市販品とすることができ、取付対象物は槽状構造物であってもよく、雨水貯留浸透槽でもよい。【選択図】図１
0003200374.tif 000002
【実用新案登録請求の範囲】
【請求項１】
取付対象物に管を接続する際に両者の間に配され、
前記取付対象物に穿設された孔部に挿入される管状部と、
前記管が接続される継手部と、
前記管状部と前記継手部との間に介在する板状部材であって、開口部を有し、該開口部を挟んで前記管状部と前記継手部とが連通するように、該板状部材の一方の面から前記管状部が、他方の面から前記継手部が各々突出するように固定されることを特徴とする接続管取付用ソケット。
【請求項２】
前記管状部、継手部、板状部材の少なくとも一つは市販品であることを特徴とする請求項１に記載の接続管取付用ソケット。
【請求項３】
前記取付対象物は槽状構造物であることを特徴とする請求項１又は２に記載の接続管取付用ソケット。
【請求項４】
前記取付対象物は雨水貯留浸透槽であることを特徴とする請求項１、２又は３に記載の接続管取付用ソケット。
【考案の詳細な説明】
【技術分野】
【０００１】
本考案は、接続管取付用ソケットに関し、特に、雨水貯留浸透槽等の槽状構造物に管を接続するための接続管取付用ソケットに関する。
【背景技術】
【０００２】
雨水貯留浸透槽は、集水した雨水の貯留空間として地中に構築される雨水貯留槽と、集水した雨水を地中で一時的に貯留した後、地中に緩やかに排出して分散浸透させる雨水浸透槽を含む。この雨水貯留浸透槽は、特許文献１等に記載にように、雨水の有効利用を図ったり、雨水が河川や地下雨水管路網へ急激に流入して発生する都市型浸水災害を防止したり、地下水を涵養して地盤沈下を抑止するために地中に埋設される。
【先行技術文献】
【特許文献】
【０００３】
【特許文献１】特開２０１３−１８５３０２号公報
【考案の開示】
【考案が解決しようとする課題】
【０００４】
上記雨水貯留浸透槽には、雨水を槽内に導くためなどの目的で槽の天井部等に管を接続する必要がある。そのため、種々の型式の雨水貯留浸透槽毎に管を接続するための構造を設計したり、複数に分割された槽構造のうち管を接続する部分のみを特別な構造としたり、雨水貯留浸透槽の設置現場での作業が煩雑になるなど、経済性及び施工性の面で改善の余地があった。
【０００５】
そこで、本考案は、上記問題点に鑑みてなされたものであって、雨水貯留浸透槽等に低コストで簡単に管を接続することを目的とする。
【課題を解決するための手段】
【０００６】
上記目的を達成するため、本考案に係る接続管取付用ソケットは、取付対象物に管を接続する際に両者の間に配され、前記取付対象物に穿設された孔部に挿入される管状部と、前記管が接続される継手部と、前記管状部と前記継手部との間に介在する板状部材であって、開口部を有し、該開口部を挟んで前記管状部と前記継手部とが連通するように、該板状部材の一方の面から前記管状部が、他方の面から前記継手部が各々突出するように固定されることを特徴とする。
【０００７】
本考案によれば、予め製作した接続管取付用ソケットの管状部を挿入するための孔部を取付対象物に穿設するだけで、取付対象物に接続管取付用ソケットを取り付けることができ、このソケットの継手部に管を接続するだけでソケットを介して取付対象物と管とを接続することができるため、従来のように種々の型式の取付対象物毎に管を接続するための構造を設計したり、複数に分割された構造のうち管を接続する部分のみを特別な構造とする必要がなくなると共に、設置現場等での施工が容易となる。
【０００８】
前記管状部、継手部、板状部材の少なくとも一つを市販品とすることで、より低コストで管を接続することができる。
【０００９】
前記取付対象物を槽状構造物とすることができ、雨水貯留浸透槽とすることもでき、雨水貯留浸透槽等に低コストで簡単に管を接続することができる。
【考案の効果】
【００１０】
以上のように、本考案に係る接続管取付用ソケットによれば、雨水貯留浸透槽等に管を接続する際の経済性及び施工性を改善することができる。
【図面の簡単な説明】
【００１１】
【図１】本考案に係る接続管取付用ソケットの第１の実施形態を示す図であって、（ａ）は分解斜視図、（ｂ）は組立斜視図、（ｃ）は組立断面図である。
【図２】図１の接続管取付用ソケットを雨水貯留浸透槽に装着する要領を説明するための斜視図であって、（ａ）は雨水貯留浸透槽に孔部を穿設する要領を、（ｂ）は接続管取付用ソケットを装着した状態を示す図である。
【図３】本考案に係る接続管取付用ソケットの第２の実施形態を示す図であって、（ａ）は分解斜視図、（ｂ）は組立斜視図である。
【図４】雨水貯留浸透槽に図３の接続管取付用ソケットを装着した状態を示す図である。
【考案を実施するための形態】
【００１２】
次に、本考案の実施の形態について図面を参照しながら詳細に説明する。
【００１３】
図１は、本考案に係る接続管取付用ソケット（以下「ソケット」と略称する。）の第１の実施形態を示し、このソケット１は、管状部２と、継手部３と、板状部材４とで構成される。
【００１４】
管状部２は、例えば塩ビ管の市販品であって、外径が１００ｍｍ〜３００ｍｍ程度のものが用いられる。
【００１５】
継手部３は、例えば塩ビのカラーであって、外径が１００ｍｍ〜３００ｍｍ程度のものが用いられる。継手部３の内面には、内面から突出する段部３ａが形成される。
【００１６】
板状部材４は、例えば塩ビ板であって、３００ｍｍ×３００ｍｍ×厚さ３ｍｍ程度のものが用いられる。板状部材４の中央部には、管状部２の外径と略々同径の円形の開口部４ａが穿設される。
【００１７】
上記管状部２、継手部３及び板状部材４は、図１（ｂ）、（ｃ）に示すように、継手部３の下方開口から管状部２をその上端部２ａ側から挿入し、継手部３の段部３ａに管状部２の上端部を当接させ、管状部２の下端部に板状部材４の開口部４ａを挿入し、開口部４ａの周辺部を継手部３の下端部に当接させた状態で、板状部材４と管状部２を接着剤等で固定して管状部２、継手部３及び板状部材４を一体化する。これによって、板状部材４の開口部４ａを挟んで管状部２の内部と継手部３の内部とが連通する。
【００１８】
次に、上記ソケット１を用いて取付対象物に管を接続する要領について説明する。尚、以下の説明では、雨水貯留浸透槽の天井部に管を接続する場合を例示する。
【００１９】
まず、図２（ａ）に示すように、一般に用いられているホルソー６で雨水貯留浸透槽７の天井部７ａに孔を穿設する。この際、穿設する孔の内径を管状部２の外径と同程度とする。
【００２０】
次に、上述のようにして天井部７ａに穿設した孔部７ｂにソケット１の管状部２を挿入し、板状部材４の下面と雨水貯留浸透槽７の天井部７ａとを当接させ、板状部材４を天井部７ａに載置又は固定することで、雨水貯留浸透槽７へのソケット１の装着が完了する。板状部材４を天井部７ａに載置した場合でも、板状部材４が天井部７ａに穿設した孔部７ｂよりも大きいため、ソケット１が落下することはない。
【００２１】
最後に、雨水貯留浸透槽７から突出した継手部３に管を接続することで、雨水貯留浸透槽７の天井部に管を接続することができる。尚、接続する管が塩ビ管の場合には、管状部２が塩ビ製であるため、両者を糊付けすることができる。
【００２２】
上述のように、雨水貯留浸透槽７の天井部７ａに孔部７ｂを穿設するだけで、予め市販品を用いて製作したソケット１を取り付けることができ、このソケット１の継手部３に管を接続するだけでソケット１を介して雨水貯留浸透槽７と管とを接続することができるため、従来のように種々の型式の雨水貯留浸透槽に管を接続するための構造を設計したり、複数に分割された雨水貯留浸透槽のうち管を接続する部分のみを特別な構造とする必要がなくなると共に、設置現場等での施工が容易となる。
【００２３】
図３は、本考案に係る接続管取付用ソケットの第２の実施形態を示し、このソケット１１は、上記第１の実施形態における継手部３として用いたカラーに代えて９０°エルボー（継手部）１３を用いた点のみがソケット１と異なり、他の構成要素はソケット１と同様である。
【００２４】
継手部１３としての９０°エルボーにも、例えば塩ビの市販品を用いることができ、外径が１００ｍｍ〜３００ｍｍ程度のものを用いることができる。
【００２５】
このソケット１１についても、継手部１３の下方開口に管状部２をその上端部側から挿入し、継手部１３の段部１３ａに管状部２の上端部を当接させ、管状部２の下端部に板状部材４の開口部４ａを挿入し、開口部４ａの周辺部を継手部１３の下端部に当接させた状態で、板状部材４と管状部２を接着剤等で固定して管状部２、継手部１３及び板状部材４を一体化する。これによって、板状部材４の開口部４ａを挟んで管状部２の内部と継手部１３の内部とが連通する。
【００２６】
上述のようにして組み立てたソケット１１についても、上記ソケット１と同様に用いることができ、例えば、図４に示すように、雨水貯留浸透槽７の天井部７ａに設置して雨水貯留浸透槽７から突出した継手部１３に管を接続することで、雨水貯留浸透槽７の天井部に管を接続することができる。
【００２７】
尚、上記実施の形態では、本考案に係るソケット１、１１を雨水貯留浸透槽７に管を接続するために用いた場合を例示したが、雨水貯留浸透槽７に限らず他の槽状構造物や、その他の構造物等に管を接続するために用いることもできる。また、ソケット１、１１の板状部材４を構造物等の天井部に固定するだけでなく、板状部材４をビス止めすることで取付対象物の側面に固定することもできる。
【００２８】
さらに、管状部２、継手部３、１３、板状部材４に塩ビの市販品を用いたが、これらは必ずしも塩ビでなくてもよい。また、市販品を用いることで低コストとなって好ましいが、必ずしも市販品でなくてもよい。
【００２９】
また、継手部３、１３は、カラーやエルボーに限定されず、クロス、チーズ、レデューサー等とすることもできる。
【符号の説明】
【００３０】
１  ソケット
２  管状部
２ａ  上端部
３  継手部
３ａ  段部
４  板状部材
４ａ  開口部
６  ホルソー
７  雨水貯留浸透槽
７ａ  天井部
７ｂ  孔部
１１  ソケット
１３  継手部
１３ａ  段部
【図３】
0003200374.tif 000003
【図１】
0003200374.tif 000004
【図２】
0003200374.tif 000005
【図４】
0003200374.tif 000006